(57)【特許請求の範囲】
【請求項１】
レンタル倉庫に収納された物品に関する１以上の物品情報を管理するサーバ装置であって、
物品を識別する物品識別子と、当該物品の画像と、当該物品が「譲渡可能」、「貸与可能」、および「譲渡も貸与も不可」を含む３以上のうちのいずれかであるかを示す情報であるモードと、当該物品の持ち主を識別する主識別子と、当該物品に対して好意が示された数である好意数とを有する１以上の物品情報を格納し得る物品情報格納部と、
前記３以上の各モードに対応する３以上の画面を示す３以上の画面情報を格納し得る画面情報格納部と、
第三者の端末装置から一の物品情報に対するアクセスを受け付ける受付部と、
前記受付部がアクセスを受け付けた場合、前記一の物品情報が有するモードに応じて、異なる画面情報を前記画面情報格納部から取得し、当該画面情報に前記物品情報が有する好意数を付加し、送信する画面情報を構成する画面情報取得部と、
前記画面情報を前記第三者の端末装置に送信する画面情報送信部とを具備し、
前記モードが「譲渡も貸与も不可」であることを示す情報である場合、当該モードに対応する画面情報は、第三者が好意的であることを入力するための入力部品を有するサーバ装置。
【請求項２】
前記受付部は、
物品に対する好意を示す情報であり、当該物品の物品識別子を有する好意情報をも受け付け、
前記受付部が好意情報を受け付けた場合に、当該好意情報が有する物品識別子と対になる好意数をインクリメントする好意数更新部をさらに具備する請求項１記載のサーバ装置。
【請求項３】
前記物品情報は、
前記物品の持ち主の譲渡または貸与に対する本気度を示す情報である本気度情報を有し、
前記画面情報格納部は、
前記本気度情報、または前記モードと前記本気度情報との組み合わせに対応する２以上の画面情報を格納しており、
前記画面情報取得部は、
前記受付部がアクセスを受け付けた場合、前記一の物品情報が有するモードと本気度情報に応じて、異なる画面情報を前記画面情報格納部から取得し、当該画面情報に前記物品情報が有する好意数を付加し、送信する画面情報を構成する請求項１または請求項２記載のサーバ装置。
【請求項４】
前記本気度情報が消極的または積極的を含む２以上の度合いの情報を取り得、
前記物品情報が有する本気度情報が消極的を示す情報である場合、当該本気度情報に対応する画面情報は、第三者が好意的であることを入力するための入力部品を有する請求項３記載のサーバ装置。
【請求項５】
前記本気度情報が消極的または普通または積極的を含む３以上の度合いの情報を取り得、
前記物品情報が有する本気度情報が普通を示す情報である場合、当該本気度情報に対応する画面情報は、第三者が希望金額を入力するための入力部品を有する請求項３記載のサーバ装置。
【請求項６】
前記本気度情報が消極的または積極的を含む２以上の度合いの情報を取り得、
前記物品情報が有するモードが譲渡可能または貸与可能を示す情報であり、かつ、前記物品情報が有する本気度情報が積極的を示す情報である場合、
前記受付部は、
２以上の第三者の端末装置から入力された譲渡または貸与の希望に関する情報であり、物品識別子に対応する２以上の希望情報を受け付け、
希望情報を格納し得る希望情報格納部と、
前記物品識別子に対応付けて、前記２以上の希望情報を前記希望情報格納部に蓄積する希望情報蓄積部とをさらに具備し、
前記受付部は、
前記物品の持ち主の端末装置から交渉相手を特定する交渉相手情報をも受け付け、
前記交渉相手情報を受け付けた場合、前記物品情報に対応付けて、交渉中であることを示す交渉中情報を、前記物品情報格納部に蓄積する交渉中情報蓄積部をさらに具備し、
前記交渉中情報蓄積部が蓄積した交渉中情報は、前記第三者の端末装置において出力される請求項３記載のサーバ装置。
【請求項７】
前記受付部は、
物品を収納するサービスを提供する収納業者の端末装置から１以上の物品情報を受け付け、
前記受付部が受け付けた１以上の物品情報を前記物品情報格納部に蓄積する物品情報蓄積部をさらに具備する請求項１から請求項６いずれか記載のサーバ装置。
【請求項８】
前記受付部は、
譲渡または貸与の金額を含む情報であり、契約の成立を示す情報を受け付け、
前記物品情報は、前記物品の収納期間を示す期間情報を含み、
前記譲渡または貸与の金額、前記期間情報をパラメータとして、前記物品の持ち主の収益金額および前記物品の収納業者の収益金額を算出する算出部と、
前記算出部が算出した前記物品の持ち主の収益金額および前記物品の収納業者の収益金額を出力する出力部とをさらに具備する請求項１から請求項７いずれか記載のサーバ装置。
【請求項９】
前記好意数が予め決められた条件を満たすほど大きいか否かを判断する判断部と、
前記判断部の判断が、前記好意数が予め決められた条件を満たすほど大きいとの判断である場合、前記物品識別子と対になる本気度情報が示す本気度を上げるべき旨の情報である本気度更新推奨情報を、前記物品識別子と対になる主識別子に対応する端末装置に送信する推奨情報送信部とをさらに具備する請求項３記載のサーバ装置。
【請求項１０】
前記受付部は、
１以上の第三者の端末装置から譲渡または貸与の希望金額を含む情報であり、物品識別子に対応する１以上の希望情報を受け付け、
希望情報を格納し得る希望情報格納部と、
前記物品識別子に対応付けて、前記１以上の希望情報を前記希望情報格納部に蓄積する希望情報蓄積部と、
物品に対する１以上の希望金額のうちの最大の希望金額が予め決められた条件を満たすほど大きいか否かを判断する判断部と、
前記判断部の判断が、前記最大の希望金額が予め決められた条件を満たすほど大きいとの判断である場合、前記物品識別子と対になる本気度情報が示す本気度を上げるべき旨の情報である本気度更新推奨情報を、前記物品識別子と対になる主識別子に対応する端末装置に送信する推奨情報送信部とをさらに具備する請求項３から請求項５いずれか記載のサーバ装置。
【請求項１１】
レンタル倉庫に収納された物品に関する１以上の物品情報を管理するサーバ装置における情報処理方法であって、
記録媒体に、
物品を識別する物品識別子と、当該物品の画像と、当該物品が「譲渡可能」、「貸与可能」、および「譲渡も貸与も不可」を含む少なくとも３以上のうちのいずれかであるかを示す情報であるモードと、当該物品の持ち主を識別する主識別子と、当該物品に対して好意が示された数である好意数とを有する１以上の物品情報と、
前記３以上の各モードに対応する３以上の画面を示す３以上の画面情報とを格納しており、
受付部、画面情報取得部、および画面情報送信部により実現される情報処理方法であって、
前記受付部は、第三者の端末装置から一の物品情報に対するアクセスを受け付ける受付ステップと、
前記画面情報取得部は、前記受付ステップでアクセスを受け付けられた場合、前記一の物品情報が有するモードに応じて、異なる画面情報を前記記録媒体から取得し、当該画面情報に前記物品情報が有する好意数を付加し、送信する画面情報を構成する画面情報取得ステップと、
前記画面情報送信部は、前記画面情報を前記第三者の端末装置に送信する画面情報送信ステップとを具備し、
前記モードが「譲渡も貸与も不可」であることを示す情報である場合、当該モードに対応する画面情報は、第三者が好意的であることを入力するための入力部品を有する情報処理方法。
【請求項１２】
レンタル倉庫に収納された物品に関する１以上の物品情報を管理するサーバ装置におけるプログラムであって、
記録媒体に、
物品を識別する物品識別子と、当該物品の画像と、当該物品が「譲渡可能」、「貸与可能」、および「譲渡も貸与も不可」を含む少なくとも３以上のうちのいずれかであるかを示す情報であるモードと、当該物品の持ち主を識別する主識別子と、当該物品に対して好意が示された数である好意数とを有する１以上の物品情報と、
前記３以上の各モードに対応する３以上の画面を示す３以上の画面情報とを格納しており、
コンピュータを、
第三者の端末装置から一の物品情報に対するアクセスを受け付ける受付部と、
前記受付部がアクセスを受け付けた場合、前記一の各物品情報が有するモードに応じて、異なる画面情報を前記記録媒体から取得し、当該画面情報に前記物品情報が有する好意数を付加し、送信する画面情報を構成する画面情報取得部と、
前記画面情報を前記第三者の端末装置に送信する画面情報送信部として機能させるためのプログラムであって、
前記モードが「譲渡も貸与も不可」であることを示す情報である場合、当該モードに対応する画面情報は、第三者が好意的であることを入力するための入力部品を有するプログラム。
【発明の詳細な説明】
【技術分野】
【０００１】
本発明は、レンタル倉庫等に収納された物品を効果的に利用できる収納庫物品利用システム等に関するものである。
【背景技術】
【０００２】
従来の第一のシステムにおいて、インターネットオークションを誰もが簡単かつ安全に利用できるようにすることを目的としていた（特許文献１参照）。かかるシステムは、出品代行端末において、撮影装置は、載置台に載置された出品物の写真を撮影する。また、入力装置は、出品物に関する出品物情報と出品者に関する出品者情報とを入力する。そして、記憶装置は、撮影装置により撮影された写真と入力装置により入力された出品物情報と出品者情報とを記憶する。また、処理装置は、インターネットオークションへの出品を行う出品サーバに、記憶装置に記憶された写真と出品物情報とを、ネットワークを介して送信する。
【０００３】
また、従来の第二のシステムは、一時的に使用しない所有物を有効利用するための対象物貸出マッチングシステムであった（特許文献２参照）。かかるシステムは、対象物の貸し出しを希望する貸出者の貸出者端末と、貸出対象物の借入を希望する借入者の借入者端末と、少なくとも貸出対象物の名称と前記貸出対象物を貸出すことが可能な貸出可能期間とを含む貸出対象物データを登録する貸出対象物登録手段を具備する事業者サーバと、が公衆回線網を介して接続され、貸出者端末は、貸出希望者の要求に応じて、事業者サーバにアクセスして貸出対象物データを貸出対象物登録手段に登録することが可能であると共に、借入者端末は、借入希望者の要求に応じて、事業者サーバにアクセスして貸出対象物登録手段に登録された貸出対象物データを検索可能であり、かつ、検索した貸出対象物を貸出すことが可能である場合には、貸出対象物が借入希望者に貸し出される。
【先行技術文献】
【特許文献】
【０００４】
【特許文献１】特開２００８−６５７４１号公報（第１頁、第１図等）
【特許文献２】特開２００３−２２４０３号公報（第１頁、第１図等）
【発明の概要】
【発明が解決しようとする課題】
【０００５】
しかしながら、従来、オークションを支援するシステム、物品の貸与を支援するシステム、物品の譲渡を支援するシステムは、それぞれ別々に存在していた。しかし、従来、レンタル倉庫等に収納された物品を効果的に利用するシステムが存在しなかった。
【０００６】
つまり、レンタル倉庫等に収納された物品に対する物品主の思いがいろいろあり、物品主は、条件によっては譲渡しても良いと考えていたり、貸与しても良いと考えていたり、譲渡も貸与も決してしたくない、と考えていたりする。一方、レンタル倉庫等に収納されている期間は、誰も当該物品を利用していない状況である。
【０００７】
本発明はかかる背景に鑑みてなされたもので、持ち主の物品に対する思いに応じた、物品の適切な利用を可能にすることを目的としている。
【課題を解決するための手段】
【０００８】
本第一の発明のサーバ装置は、物品を識別する物品識別子と、物品の画像と、物品が「譲渡可能」または「貸与可能」または「譲渡も貸与も不可」のうちの少なくとも２以上のうちのいずれかであるかを示す情報であるモードと、物品の持ち主を識別する主識別子とを有する１以上の物品情報を格納し得る物品情報格納部と、２以上の各モードに対応する２以上の画面を示す２以上の画面情報を格納し得る画面情報格納部と、第三者の端末装置から１以上の物品情報に対するアクセスを受け付ける受付部と、受付部がアクセスを受け付けた場合、１以上の各物品情報が有するモードに応じて、１以上の異なる画面情報を画面情報格納部から取得する画面情報取得部と、１以上の画面情報を第三者の端末装置に送信する画面情報送信部とを具備するサーバ装置である。
【０００９】
かかる構成により、レンタル倉庫等に収納された物品を効果的に利用できる。特に、持ち主の物品に対する思いに応じた、物品の適切な利用が可能になる。
【００１０】
また、本第二の発明のサーバ装置は、第一の発明に対して、物品情報は、物品の持ち主の譲渡または貸与に対する本気度を示す情報である本気度情報を有し、画面情報格納部は、本気度情報、またはモードと本気度情報との組み合わせに対応する２以上の画面情報を格納しており、画面情報取得部は、受付部がアクセスを受け付けた場合、１以上の各物品情報が有するモードと本気度情報に応じて、１以上の異なる画面情報を画面情報格納部から取得するサーバ装置である。
【００１１】
かかる構成により、物品に対する本気度を管理し、利用することにより、さらに、持ち主の物品に対する思いに応じた、物品の適切な利用が可能になる。
【００１２】
また、本第三の発明のサーバ装置は、第一または第二の発明に対して、物品情報が有するモードが、譲渡も貸与も不可であることを示す情報である場合、モードに対応する画面情報は、第三者が好意的であることを入力するための入力部品を有し、物品情報は、物品に対して好意が示された数である好意数を有し、受付部は、物品に対する好意を示す情報であり、物品の物品識別子を有する好意情報をも受け付け、受付部が好意情報を受け付けた場合に、好意情報が有する物品識別子と対になる好意数をインクリメントする好意数更新部をさらに具備するサーバ装置である。
【００１３】
かかる構成により、レンタル倉庫等に収納された物品に対する第三者の評価を知ることができ、物品の適切な利用が可能になり得る。
【００１４】
また、本第四の発明のサーバ装置は、第三の発明に対して、本気度情報が消極的または積極的を含む２以上の度合いの情報を取り得、物品情報が有する本気度情報が消極的を示す情報である場合、本気度情報に対応する画面情報は、第三者が好意的であることを入力するための入力部品を有するサーバ装置である。
【００１５】
かかる構成により、レンタル倉庫等に収納された物品に対する第三者の評価を知ることができ、物品の適切な利用が可能になり得る。
【００１６】
また、本第五の発明のサーバ装置は、第二の発明に対して、本気度情報が消極的または普通または積極的を含む２以上の度合いの情報を取り得、物品情報が有する本気度情報が普通を示す情報である場合、本気度情報に対応する画面情報は、第三者が希望金額を入力するための入力部品を有するサーバ装置である。
【００１７】
かかる構成により、レンタル倉庫等に収納され、利用されていない物品または利用されにくい物品に対して、譲渡または貸与の希望金額を入力でき、物品の適切な利用が可能になり得る。
【００１８】
また、本第六の発明のサーバ装置は、第二の発明に対して、本気度情報が消極的または積極的を含む２以上の度合いの情報を取り得、物品情報が有するモードが譲渡可能または貸与可能を示す情報であり、かつ、物品情報が有する本気度情報が積極的を示す情報である場合、受付部は、２以上の第三者の端末装置から入力された譲渡または貸与の希望に関する情報であり、物品識別子に対応する２以上の希望情報を受け付け、希望情報を格納し得る希望情報格納部と、物品識別子に対応付けて、２以上の希望情報を希望情報格納部に蓄積する希望情報蓄積部とをさらに具備し、受付部は、物品の持ち主の端末装置から交渉相手を特定する交渉相手情報をも受け付け、交渉相手情報を受け付けた場合、物品情報に対応付けて、交渉中であることを示す交渉中情報を、物品情報格納部に蓄積する交渉中情報蓄積部をさらに具備するサーバ装置である。
【００１９】
かかる構成により、レンタル倉庫等に収納され、利用されていない物品または利用されにくい物品に対して、譲渡または貸与の促進が可能になる。
【００２０】
また、本第七の発明のサーバ装置は、第一から第六いずれかの発明に対して、受付部は、物品を収納するサービスを提供する収納業者の端末装置から１以上の物品情報を受け付け、受付部が受け付けた１以上の物品情報を物品情報格納部に蓄積する物品情報蓄積部をさらに具備するサーバ装置である。
【００２１】
かかる構成により、物品の持ち主ではなく、レンタル倉庫等の運営業者が物品情報を登録することにより、適切な情報を第三者に提示でき、安全な取引が可能になる。
【００２２】
また、本第八の発明のサーバ装置は、第一から第七いずれかの発明に対して、受付部は、譲渡または貸与の金額を含む情報であり、契約の成立を示す情報を受け付け、物品情報は、物品の収納期間を示す期間情報を含み、譲渡または貸与の金額、期間情報をパラメータとして、物品の持ち主の収益金額および物品の収納業者の収益金額を算出する算出部と、算出部が算出した物品の持ち主の収益金額および物品の収納業者の収益金額を出力する出力部とをさらに具備するサーバ装置である。
【００２３】
かかる構成により、物品が第三者に譲渡または貸与された場合、物品の持ち主とレンタル倉庫等の運営業者とが適切に収益を分配できる。
【００２４】
また、本第九の発明のサーバ装置は、第三から第八いずれかの発明に対して、好意数が予め決められた条件を満たすほど大きいか否かを判断する判断部と、判断部の判断が、好意数が予め決められた条件を満たすほど大きいとの判断である場合、物品識別子と対になる本気度情報が示す本気度を上げるべき旨の情報である本気度更新推奨情報を、物品識別子と対になる主識別子に対応する端末装置に送信する推奨情報送信部とをさらに具備するサーバ装置である。
【００２５】
かかる構成により、第三者の物品に対する評価を利用して、物品の譲渡または貸与を促進できる。
【００２６】
また、本第十の発明のサーバ装置は、第三から第五いずれかの発明に対して、受付部は、１以上の第三者の端末装置から譲渡または貸与の希望金額を含む情報であり、物品識別子に対応する１以上の希望情報を受け付け、希望情報を格納し得る希望情報格納部と、物品識別子に対応付けて、１以上の希望情報を希望情報格納部に蓄積する希望情報蓄積部と、物品に対する１以上の希望金額のうちの最大の希望金額が予め決められた条件を満たすほど大きいか否かを判断する判断部と、判断部の判断が、最大の希望金額が予め決められた条件を満たすほど大きいとの判断である場合、物品識別子と対になる本気度情報が示す本気度を上げるべき旨の情報である本気度更新推奨情報を、物品識別子と対になる主識別子に対応する端末装置に送信する推奨情報送信部とをさらに具備するサーバ装置である。
【００２７】
かかる構成により、第三者の物品に対する評価を利用して、物品の譲渡または貸与を促進できる。
【発明の効果】
【００２８】
本発明による収納庫物品利用システムによれば、レンタル倉庫等に収納された物品を効果的に利用できる。
【図面の簡単な説明】
【００２９】
【図１】実施の形態１における収納庫物品利用システム１の概念図
【図２】同収納庫物品利用システム１のブロック図
【図３】同サーバ装置１１の動作について説明するフローチャート
【図４】同第三者入力処理について説明するフローチャート
【図５】同物品主入力処理について説明するフローチャート
【図６】同管理者入力処理について説明するフローチャート
【図７】同画面情報管理表を示す図
【図８】同画面情報管理表を示す図
【図９】同画面情報管理表を示す図
【図１０】同物品情報管理表を示す図
【図１１】同希望情報管理表を示す図
【図１２】同物品情報管理表を示す図
【図１３】同画面例を示す図
【図１４】同画面例を示す図
【図１５】同物品情報管理を示す図
【図１６】同画面例を示す図
【図１７】同画面例を示す図
【図１８】同画面例を示す図
【図１９】同コンピュータシステムの概観図
【図２０】同コンピュータシステムのブロック図
【発明を実施するための形態】
【００３０】
以下、収納庫物品利用システム等の実施形態について図面を参照して説明する。なお、実施の形態において同じ符号を付した構成要素は同様の動作を行うので、再度の説明を省略する場合がある。
【００３１】
（実施の形態１）
本実施の形態において、レンタル倉庫等に収納された物品に対する譲渡可能モードまたは貸与可能モード、または譲渡貸与不可モードの少なくとも２モードのうちのいずれかが管理されており、モードの違いにより、第三者、物品の持ち主（以下、物品主という）等が入力できる情報の種類が異なる収納庫物品利用システムについて説明する。
【００３２】
また、本実施の形態において、物品の持ち主の譲渡または／および貸与に対する本気度を管理しており、本気度に応じて、第三者、物品主等が入力できる情報の種類が異なる収納庫物品利用システムについて説明する。
【００３３】
図１は、本実施の形態における収納庫物品利用システム１の概念図である。収納庫物品利用システム１は、サーバ装置１１、管理者端末装置１２、物品主端末装置１３、および１以上の一般端末装置１４を具備する。サーバ装置１１は、収納庫物品利用システム１の主機能を実現する装置であり、例えば、レンタル倉庫等の運営業者のサーバ装置である。また、管理者端末装置１２は、例えば、レンタル倉庫等の運営業者の端末である。物品主端末装置１３は、例えば、物品主の端末である。また、一般端末装置１４は、例えば、物品を貸与してもらったり、譲り受けたりする者（以下、第三者ともいう）の端末である。管理者端末装置１２、物品主端末装置１３、および一般端末装置１４は、いわゆるパソコン、携帯端末、携帯電話、テレビジョン装置等、情報の入出力が可能な端末であれば良い。なお、物品とは、レンタル倉庫等に収納された物品である。レンタル倉庫は、トランクルーム、貸し倉庫、貸しコンテナ等、少なくとも一時的に物品を預けるための空間を言う。
【００３４】
また、図２は、本実施の形態における収納庫物品利用システム１のブロック図である。
【００３５】
サーバ装置１１は、物品情報格納部１１０１、希望情報格納部１１０２、画面情報格納部１１０３、受付部１１０４、画面情報取得部１１０５、画面情報送信部１１０６、物品情報蓄積部１１０７、好意数更新部１１０８、希望情報蓄積部１１０９、交渉中情報蓄積部１１１０、判断部１１１１、推奨情報送信部１１１２、算出部１１１３、および出力部１１１４を具備する。
【００３６】
管理者端末装置１２は、第一受付部１２１、第一送信部１２２、第一受信部１２３、および第一出力部１２４を具備する。
【００３７】
物品主端末装置１３は、第二受付部１３１、第二送信部１３２、第二受信部１３３、および第二出力部１３４を具備する。
【００３８】
一般端末装置１４は、第三受付部１４１、第三送信部１４２、第三受信部１４３、および第三出力部１４４を具備する。一般端末装置１４は、第三者の端末装置とも言う。
【００３９】
サーバ装置１１を構成する物品情報格納部１１０１は、１以上の物品情報を格納し得る。物品情報は、物品を識別する物品識別子と、物品の画像（通常、写真画像であるが、イラスト等でも良い）と、モードと、物品主を識別する主識別子とを有する。モードとは、物品が「譲渡可能（例えば、「１」）」または「貸与可能（例えば、「２」）」または「譲渡も貸与も不可（例えば、「３」）」のうちの少なくとも２以上のうちのいずれかであるかを示す情報である。また、モードは、物品が「譲渡可能」または「貸与可能」または「譲渡も貸与も不可」のうちのいずれかであることは好適であるが、物品が「貸与可能」または「譲渡も貸与も不可」のうちのいずれかでも良い。譲渡可能のモードは、例えば、物品をオークションにかけるモードでも良いし、物品を有償で譲渡するモードでも良い。また、主識別子とは、例えば、数値、文字列、メールアドレスや第三者の端末装置のＩＰアドレス等の連絡先を示す情報等である。
【００４０】
物品情報は、本気度情報や好意数を有しても良い。本気度情報とは、物品主の譲渡または貸与に対する本気度を示す情報である。本気度情報は、数字、アルファベットなど、通常、段階を示す情報である。「消極的（例えば、「−１」）」または「積極的（例えば、「１」）」のいずれかの２段階でも良いし、「消極的（例えば、「−１」）」または「普通（例えば、「０」）」または「積極的（例えば、「１」）」のいずれかの３段階等でも良い。本気度情報[0]のレベル分けの数は問わない。また、好意数は、物品に対して好意が示された数である。好意数は、例えば、第三者が、物品に対して好意的であることを入力するための入力部品に対して指示した数である。なお、入力部品とは、ボタン、チェックボックス、フィールドなど、画面を構成する部品であり、情報が入力できる部品である。
【００４１】
希望情報格納部１１０２は、１以上の希望情報を格納し得る。希望情報は、一般端末装置１４から入力された譲渡または貸与の希望に関する情報である。希望情報は、通常、物品識別子を有するが、何らかの情報により物品識別子と対応付けられれば良い。希望情報は、例えば、１以上の希望金額、希望金額に対応するユーザ識別子、ユーザ識別子で識別されるユーザ（第三者）への連絡先を示すユーザ連絡先情報等を有する。物品を貸し出す場合、希望情報は、通常、レンタルの期間情報をも有する。なお、希望金額とは、購入またはレンタルの希望の金額である。また、希望情報は、物品主の希望の譲渡や貸与の希望の金額を有しても良い。
【００４２】
画面情報格納部１１０３は、２以上の各モードに対応する２以上の画面を示す２以上の画面情報を格納し得る。画面情報格納部１１０３は、通常、モードと画面情報の組を２以上格納し得る。例えば、モードが「譲渡も貸与も不可」である場合、当該モードに対応する画面情報のみ、第三者が好意的であることを入力するための入力部品（例えば、「いいね」ボタン）を有する。また、例えば、モードが「譲渡も貸与も不可」または「貸与のみ可」である場合、当該モードに対応する画面情報のみ、第三者が好意的であることを入力するための入力部品（例えば、「いいね」ボタン）を有する。また、例えば、モードが「譲渡可能」または「貸与可能」の場合は、希望金額の入力フィールドを有する。また、例えば、モードが「貸与可能」の場合は、希望貸与期間の入力フィールドを有する。
【００４３】
また、通常、一つの画面情報が一つの画面を構成するが、２以上の画面情報が一つの画面を構成しても良い。また、画面情報は、ＨＴＭＬ、ＸＭＬ等のスクリプトで記述されていても良いし、４ＧＬなどのプログラムで記述されていても良いし、イメージデータを含む情報で構成されていても良い。
【００４４】
画面情報格納部１１０３は、２以上の各本気度情報に対応する２以上の画面を示す２以上の画面情報を格納していても良い。また、画面情報格納部１１０３は、モードと本気度情報の組み合わせに対応する２以上の画面情報を格納していても良い。例えば、物品情報が有する本気度情報が「消極的」を示す情報である場合のみ、当該本気度情報に対応する画面情報は、第三者が好意的であることを入力するための入力部品を有しても良い。また、例えば、物品情報が有する本気度情報が「積極的」を示す情報以外である場合のみ、当該本気度情報に対応する画面情報は、第三者が好意的であることを入力するための入力部品を有しても良い。さらに、例えば、モードが「譲渡可能」または「貸与可能」であり、物品情報が有する本気度情報が「積極的」を示す情報以外である場合のみ、当該本気度情報に対応する画面情報は、第三者が好意的であることを入力するための入力部品を有しても良い。
【００４５】
また、画面情報格納部１１０３は、収納業者が保持している物品リストを提示する画面の画面情報を格納していても良い。なお、当該画面は、例えば、収納庫物品利用システム１の初期画面である。
【００４６】
画面情報格納部１１０３に画面情報が記憶される過程は問わない。例えば、記録媒体を介して画面情報が画面情報格納部１１０３で記憶されるようになってもよく、通信回線等を介して送信された画面情報が画面情報格納部１１０３で記憶されるようになってもよく、あるいは、入力デバイスを介して入力された画面情報が画面情報格納部１１０３で記憶されるようになってもよい。
【００４７】
受付部１１０４は、管理者端末装置１２、物品主端末装置１３、または一般端末装置１４から情報や命令等を受け付ける。受付部１１０４は、例えば、一般端末装置１４や物品主端末装置１３から１以上の物品情報に対するアクセスを受け付ける。また、受付部１１０４は、一般端末装置１４から、物品に対する好意を示す情報であり、物品の物品識別子を有する好意情報をも受け付けても良い。また、受付部１１０４は、１または２以上の一般端末装置１４から１または２以上の希望情報を受け付けても良い。希望情報は、譲渡または貸与の希望に関する情報である。希望情報は、物品識別子に対応する情報であり、例えば、物品識別子を有しても良いし、物品識別子とリンクが張られていても良い。つまり、物品識別子に対応するとは、通常、希望情報は物品識別子を有するが、何らかの情報により物品識別子と対応付けられれば良い。また、希望情報は、例えば、物品識別子と希望金額とを有する。また、希望情報は、例えば、物品識別子と希望金額と貸与期間とを有しても良いし、物品識別子だけでも良い。また、受付部１１０４は、物品主端末装置１３から交渉相手を特定する交渉相手情報をも受け付けても良い。交渉相手情報とは、通常、交渉相手を識別する交渉相手識別子を有する。交渉相手識別子は、交渉相手の氏名、交渉相手の識別子、交渉相手の端末装置の識別子などである。また、受付部１１０４は、管理者端末装置１２から１以上の物品情報を受け付けることは好適である。また、受付部１１０４は、譲渡または貸与の金額を含む情報であり、契約の成立を示す情報（以下、適宜、契約成立情報という）を受け付けても良い。
【００４８】
ここで、受け付けとは、通常、有線もしくは無線の通信回線を介して送信された情報の受信である。
【００４９】
画面情報取得部１１０５は、受付部１１０４がアクセスを受け付けた場合、１以上の各物品情報が有するモードに応じて、１以上の異なる画面情報を画面情報格納部１１０３から取得する。なお、受付部１１０４が受け付けるアクセスには、通常、物品識別子を含む。そして、例えば、画面情報取得部１１０５は、アクセスの際に送信される物品識別子と対になるモードを取得し、当該モードに対応する画面情報を画面情報格納部１１０３から読み出す。
【００５０】
また、画面情報取得部１１０５は、受付部１１０４がアクセスを受け付けた場合、１以上の各物品情報が有する本気度情報に応じて、１以上の異なる画面情報を画面情報格納部１１０３から取得することは好適である。
【００５１】
さらに、画面情報取得部１１０５は、受付部１１０４がアクセスを受け付けた場合、１以上の各物品情報が有するモードと本気度情報に応じて、１以上の異なる画面情報を画面情報格納部１１０３から取得することは好適である。
【００５２】
画面情報送信部１１０６は、画面情報取得部１１０５が取得した１以上の画面情報を、アクセスをした一般端末装置１４に送信する。
【００５３】
物品情報蓄積部１１０７は、受付部１１０４が受け付けた１以上の物品情報を物品情報格納部１１０１に蓄積する。なお、ここでの物品情報は、通常、管理者端末装置１２から送信された情報である。また、物品情報蓄積部１１０７は、物品情報の一部の情報（例えば、モードや本気度情報など）を更新する処理も行う。なお、かかる物品情報の一部の情報は、物品主端末装置１３から受信された情報でも良い。
【００５４】
好意数更新部１１０８は、受付部１１０４が好意情報を受け付けた場合に、好意情報が有する物品識別子と対になる好意数をインクリメントする。
【００５５】
希望情報蓄積部１１０９は、物品識別子に対応付けて、１以上の希望情報を希望情報格納部１１０２に蓄積する。
【００５６】
交渉中情報蓄積部１１１０は、交渉相手情報が受け付けられた場合、物品情報に対応付けて、交渉中であることを示す交渉中情報を、物品情報格納部１１０１に蓄積する。
【００５７】
判断部１１１１は、好意数が予め決められた条件を満たすほど大きいか否かを判断する。ここで、予め決められた条件とは、「予め決められた閾値以上であるか否か」「予め決められた期間内においえる好意数が予め決められた閾値以上であるか否か」等である。この条件は、好意数に関連する推奨条件という。
【００５８】
また、判断部１１１１は、物品に対する１以上の希望金額のうちの最大の希望金額が予め決められた条件を満たすほど大きいか否かを判断する。ここで、予め決められた条件とは、例えば、「予め決められた閾値以上であるか否か」、「希望金額をパラメータとする関数で算出された金額が予め決められた閾値以上であるか否か」、「希望金額が物品主の売買希望金額以上であるか否か」、「希望金額が物品主の貸与希望金額以上であるか否か」等である。この条件は、希望金額に関連する推奨条件という。
【００５９】
推奨情報送信部１１１２は、判断部１１１１の判断が、好意数が予め決められた条件を満たすほど大きいとの判断である場合、物品識別子と対になる本気度情報が示す本気度を上げるべき旨の情報である本気度更新推奨情報を、物品識別子と対になる主識別子に対応する物品主端末装置１３に送信する。
【００６０】
推奨情報送信部１１１２は、判断部１１１１の判断が、最大の希望金額が予め決められた条件を満たすほど大きいとの判断である場合、物品識別子と対になる本気度情報が示す本気度を上げるべき旨の情報である本気度更新推奨情報を、物品識別子と対になる主識別子に対応する物品主端末装置１３に送信する。
【００６１】
上記における本気度を上げるべき旨の情報とは、例えば、本気度「普通」を本気度「積極的」に上げるべき旨の情報でも良いし、本気度「消極的」を本気度「積極的」に上げるべき旨の情報でも良いし、本気度「消極的」を本気度「普通」に上げるべき旨の情報でも良い。
【００６２】
算出部１１１３は、譲渡または貸与の金額、期間情報をパラメータとして、物品主の収益金額および物品の収納業者の収益金額を算出する。つまり、算出部１１１３は、物品が第三者に譲渡または貸与された場合、物品主とレンタル倉庫等の運営業者との収益の分配を算出する。物品主の収益金額は、通常、例えば、物品を貸与したり譲渡したりしたための持ち主の収益金額と、倉庫を借りた支出金額との差額である。ただし、物品主の収益金額は、物品を貸与したり譲渡したりしたための持ち主の収益金額だけでも良い。また、物品の収納業者の収益金額は、倉庫を貸した収益金額と、物品を貸与したり譲渡したりしたための仲介業者としての収益金額との合計金額である。また、物品の収納業者の収益金額は、物品を貸与したり譲渡したりしたための仲介業者としての収益金額だけでも良い。なお、倉庫を貸した収益金額および倉庫を借りた支出金額は、期間情報をパラメータとして、算出され得る。また、算出部１１１３は、予め譲渡または貸与の金額、期間情報をパラメータとして収益金額を算出する算出式を、予め保持している。
【００６３】
出力部１１１４は、算出部１１１３が算出した物品主の収益金額および物品の収納業者の収益金額を出力する。ここで、出力とは、表示のみでも良いし、物品主端末装置１３への送信でも良いし、管理者端末装置１２への送信でも良いし、３つの動作のうちの２以上の動作の組み合わせでも良い。
【００６４】
管理者端末装置１２を構成する第一受付部１２１は、データや指示等を受け付ける。第一受付部１２１は、例えば、１以上の物品情報を受け付ける。物品情報は、上述したように、物品識別子と、物品の画像（通常、写真画像）等を含む。つまり、物品の収納業者が責任を持って、物品の正しい情報を入力する。そして、第一受付部１２１は、かかる入力である物品情報を受け付ける。また、第一受付部１２１は、物品情報の更新情報を受け付けても良い。更新情報は、例えば、物品識別子と、物品情報を構成する一部の情報を有する。また、第一受付部１２１は、例えば、本気度情報が「普通」の物品については１枚の写真を受け付け、本気度情報が「積極的」の物品については２枚以上の写真を受け付ける。物品情報等の入力手段は、キーボードやマウスやメニュー画面によるもの等、何でも良い。第一受付部１２１は、キーボード等の入力手段のデバイスドライバーや、メニュー画面の制御ソフトウェア等で実現され得る。
【００６５】
第一送信部１２２は、第一受付部１２１が受け付けた１以上の物品情報をサーバ装置１１に送信する。
【００６６】
第一受信部１２３は、サーバ装置１１から情報を受信する。第一受信部１２３は、例えば、サーバ装置１１から物品の収納業者の収益金額を受信する。
【００６７】
第一出力部１２４は、第一受信部１２３が受信した情報を出力する。
【００６８】
物品主端末装置１３を構成する第二受付部１３１は、物品主から情報または指示等を受け付ける。第二受付部１３１は、例えば、物品主からモードや、本気度情報等を受け付ける。第二受付部１３１は、例えば、物品識別子と変更するモード、または物品識別子と変更する本気度を受け付ける。また、第二受付部１３１は、例えば、交渉相手を選択する情報である交渉相手情報を受け付ける。
【００６９】
第二送信部１３２は、第二受付部１３１が受け付けた情報等をサーバ装置１１に送信する。
【００７０】
第二受信部１３３は、サーバ装置１１から情報を受信する。第二受信部１３３は、例えば、サーバ装置１１から物品主の収益金額を受信する。
【００７１】
第二出力部１３４は、第二受信部１３３が受信した情報を出力する。
【００７２】
一般端末装置１４を構成する第三受付部１４１は、第三者から情報や指示等を受け付ける。第三受付部１４１は、例えば、第三出力部１４４が出力した画面に対する入力を受け付ける。第三受付部１４１は、例えば、好意的であることを入力するための入力部品に対する押下を受け付ける。なお、当該入力部品が押下された場合、第三受付部１４１は、物品識別子を含む情報であり、好意的であることを示す情報を受け付ける。また、第三受付部１４１は、例えば、物品識別子と希望金額とを含む希望情報を受け付ける。
【００７３】
第三送信部１４２は、第三受付部１４１が受け付けた情報等をサーバ装置１１に送信する。
【００７４】
第三受信部１４３は、サーバ装置１１から情報を受信する。第三受信部１４３は、例えば、物品の購入や貸与の交渉が成立した旨の情報を受け付ける。
【００７５】
第三出力部１４４は、第三受信部１４３が受信した情報を出力する。
【００７６】
物品情報格納部１１０１、希望情報格納部１１０２、および画面情報格納部１１０３は、不揮発性の記録媒体が好適であるが、揮発性の記録媒体でも実現可能である。
【００７７】
画面情報取得部１１０５、物品情報蓄積部１１０７、好意数更新部１１０８、希望情報蓄積部１１０９、交渉中情報蓄積部１１１０、判断部１１１１、および算出部１１１３は、通常、ＭＰＵやメモリ等から実現され得る。画面情報取得部１１０５等の処理手順は、通常、ソフトウェアで実現され、当該ソフトウェアはＲＯＭ等の記録媒体に記録されている。但し、ハードウェア（専用回路）で実現しても良い。
【００７８】
画面情報送信部１１０６、推奨情報送信部１１１２、出力部１１１４、第一送信部１２２、第二送信部１３２、および第三送信部１４２は、通常、無線または有線の通信手段で実現されるが、放送手段で実現されても良い。
【００７９】
第一受付部１２１、第二受付部１３１、第三受付部１４１は、テンキーやキーボードやマウスやメニュー画面によるもの等、何でも良い。第三受付部１４１は、テンキーやキーボード等の入力手段のデバイスドライバーや、メニュー画面の制御ソフトウェア等で実現され得る。
【００８０】
第一受信部１２３、第二受信部１３３、および第三受信部１４３は、通常、無線または有線の通信手段で実現されるが、放送を受信する手段で実現されても良い。
【００８１】
第一出力部１２４、第二出力部１３４、第三出力部１４４は、ディスプレイやスピーカー等の出力デバイスを含むと考えても含まないと考えても良い。第一出力部１２４等は、出力デバイスのドライバーソフトまたは、出力デバイスのドライバーソフトと出力デバイス等で実現され得る。
【００８２】
次に、収納庫物品利用システム１の動作について説明する。まず、サーバ装置１１の動作について、図３のフローチャートを用いて説明する。
【００８３】
（ステップＳ３０１）受付部１１０４は、情報等を受け付けたか否かを判断する。情報等を受け付ければステップＳ３０２に行き、情報等を受け付けなければステップＳ３０１に戻る。なお、受付部１１０４が受け付ける情報等は、情報を送信した装置やユーザのカテゴリー（第三者、物品主、管理者のいずれかであるか）を特定する情報が含まれる、とする。
【００８４】
（ステップＳ３０２）ステップＳ３０１で受け付けた情報等が、一般端末装置１４から受け付けた情報等であればステップＳ３０３に行き、そうでなければステップＳ３０４に行く。
【００８５】
（ステップＳ３０３）サーバ装置１１は、第三者入力処理を行う。第三者入力処理について、図４のフローチャートを用いて説明する。
【００８６】
（ステップＳ３０４）サーバ装置１１は、ステップＳ３０１で受け付けた情報等が、物品主端末装置１３から受け付けた情報等であればステップＳ３０５に行き、そうでなければステップＳ３０６に行く。
【００８７】
（ステップＳ３０５）サーバ装置１１は、物品主入力処理を行う。物品主入力処理について、図５のフローチャートを用いて説明する。
【００８８】
（ステップＳ３０６）サーバ装置１１は、ステップＳ３０１で受け付けた情報等が、管理者端末装置１２から受け付けた情報等であればステップＳ３０７に行き、そうでなければステップＳ３０１に戻る。
【００８９】
（ステップＳ３０７）サーバ装置１１は、管理者入力処理を行う。管理者入力処理について、図６のフローチャートを用いて説明する。
【００９０】
なお、図３のフローチャートにおいて、電源オフや処理終了の割り込みにより処理は終了する。
【００９１】
次に、ステップＳ３０３の第三者入力処理について、図４のフローチャートを用いて説明する。
【００９２】
（ステップＳ４０１）画面情報取得部１１０５は、受け付けられた情報が、一般端末装置１４からのアクセスであるか否かを判断する。一般端末装置１４からのアクセスであればステップＳ４０２に行き、一般端末装置１４からのアクセスでなければステップＳ４１０に行く。
【００９３】
（ステップＳ４０２）画面情報取得部１１０５は、受け付けられた情報が、収納業者が保持している物品リストの要求であるか否かを判断する。物品リストの要求であればステップＳ４０３に行き、物品リストの要求でなければステップＳ４０６に行く。
【００９４】
（ステップＳ４０３）画面情報取得部１１０５は、物品情報格納部１１０１から１以上の物品情報を読み出す。
【００９５】
（ステップＳ４０４）画面情報取得部１１０５は、画面情報格納部１１０３から、物品リストに対応する画面情報を読み出し、ステップＳ４０３で読み出した１以上の物品情報を、当該画面情報に付加し、送信する画面情報を構成する。
【００９６】
（ステップＳ４０５）画面情報送信部１１０６は、ステップＳ４０４で構成された画面情報を、アクセスした一般端末装置１４に送信する。上位処理にリターンする。
【００９７】
（ステップＳ４０６）画面情報取得部１１０５は、受け付けられた情報が、一の物品情報に対するアクセスであるか否かを判断する。一の物品情報に対するアクセスであればステップＳ４０７に行き、一の物品情報に対するアクセスでなければ上位処理にリターンする。なお、一の物品情報に対するアクセスとは、例えば、一の物品情報の詳細情報の出力の指示である。
【００９８】
（ステップＳ４０７）画面情報取得部１１０５は、アクセスに含まれる物品識別子を取得する。
【００９９】
（ステップＳ４０８）画面情報取得部１１０５は、ステップＳ４０７で取得した物品識別子と対になるモード、または対になる本気度情報、または対になるモードと本気度情報を、物品情報格納部１１０１から取得する。
【０１００】
（ステップＳ４０９）画面情報取得部１１０５は、ステップＳ４０８で取得したモード等に対応する画面情報を画面情報格納部１１０３から読み出す。そして、画面情報取得部１１０５は、当該画面情報に、当該物品識別子に対応する物品情報を付加し、送信する画面情報を構成する。ステップＳ４０５に行く。
【０１０１】
（ステップＳ４１０）画面情報取得部１１０５は、受け付けられた情報が、一般端末装置１４から送信された好意情報であるか否かを判断する。好意情報であればステップＳ４１１に行き、好意情報でなければステップＳ４１６に行く。
【０１０２】
（ステップＳ４１１）好意数更新部１１０８は、好意情報に含まれる物品識別子を取得する。
【０１０３】
（ステップＳ４１２）好意数更新部１１０８は、ステップＳ４１１で取得した物品識別子と対になる好意数を更新する。つまり、好意数更新部１１０８は、好意数を１インクリメントする。
【０１０４】
（ステップＳ４１３）判断部１１１１は、好意数に関連する推奨条件を取得する。なお、この推奨条件は、例えば、判断部１１１１が予め保持している。
【０１０５】
（ステップＳ４１４）判断部１１１１は、ステップＳ４１１で取得した物品識別子に対応する好意数が、ステップＳ４１３で取得した推奨条件に合致するか否かを判断する。推奨条件に合致すればステップＳ４１５に行き、合致しなければ上位処理にリターンする。なお、ここで、判断部１１１１は、ステップＳ４１１で取得した物品識別子に対応する本気度情報および好意数が、ステップＳ４１３で取得した推奨条件に合致するか否かを判断しても良い。
【０１０６】
（ステップＳ４１５）推奨情報送信部１１１２は、本気度を上げるべき旨の情報を、当該物品識別子に対応する物品主の物品主端末装置１３に送信する。上位処理にリターンする。
【０１０７】
（ステップＳ４１６）画面情報取得部１１０５は、受け付けられた情報が、一般端末装置１４から送信された希望情報であるか否かを判断する。希望情報であればステップＳ４１７に行き、希望情報でなければ上位処理にリターンする。
【０１０８】
（ステップＳ４１７）希望情報蓄積部１１０９は、希望情報に含まれる物品識別子を取得する。
【０１０９】
（ステップＳ４１８）希望情報蓄積部１１０９は、ステップＳ４１７で取得した物品識別子と対になる金額情報等を蓄積する。
【０１１０】
（ステップＳ４１９）判断部１１１１は、希望金額に関連する推奨条件を取得する。なお、この推奨条件は、例えば、判断部１１１１が予め保持している。
【０１１１】
（ステップＳ４２０）判断部１１１１は、ステップＳ４１７で取得した物品識別子に対応する最大の希望金額が、ステップＳ４１９で取得した推奨条件に合致するか否かを判断する。推奨条件に合致すればステップＳ４２１に行き、合致しなければ上位処理にリターンする。
【０１１２】
（ステップＳ４２１）推奨情報送信部１１１２は、本気度を上げるべき旨の情報を、当該物品識別子に対応する物品主の物品主端末装置１３に送信する。上位処理にリターンする。
【０１１３】
次に、ステップＳ３０５の物品主入力処理について、図５のフローチャートを用いて説明する。
【０１１４】
（ステップＳ５０１）物品情報蓄積部１１０７は、モードまたは本気度情報の変更指示であるか否かを判断する。変更指示であればステップＳ５０２に行き、変更指示でなければステップＳ５０４に行き。なお、変更指示は、物品識別子を有する。
【０１１５】
（ステップＳ５０２）物品情報蓄積部１１０７は、変更指示に含まれる物品識別子を取得する。
【０１１６】
（ステップＳ５０３）物品情報蓄積部１１０７は、ステップＳ５０２で取得した物品識別子に対応するモードまたは本気度情報を、変更指示に含まれるモードまたは本気度情報に変更する。上位処理にリターンする。
【０１１７】
（ステップＳ５０４）交渉中情報蓄積部１１１０は、交渉相手情報であるか否かを判断する。交渉相手情報であればステップＳ５０５に行き、交渉相手情報でなければステップＳ５０７に行く。なお、交渉相手情報は、物品識別子を有する。
【０１１８】
（ステップＳ５０５）交渉中情報蓄積部１１１０は、交渉相手情報に含まれる物品識別子を取得する。
【０１１９】
（ステップＳ５０６）交渉中情報蓄積部１１１０は、ステップＳ５０５で取得した物品識別子に対応付けて、交渉中情報を物品情報格納部１１０１に蓄積する。上位処理にリターンする。
【０１２０】
（ステップＳ５０７）算出部１１１３は、契約成立情報であるか否かを判断する。契約成立情報であればステップＳ５０８に行き、契約成立情報でなければ上位処理にリターンする。なお、契約成立情報は、物品識別子を有する。また、契約成立情報である場合、図示しない蓄積手段が、当該契約成立情報を物品識別子に対応付けて物品情報格納部１１０１に蓄積することは好適である。
【０１２１】
（ステップＳ５０８）算出部１１１３は、契約成立情報が有する物品識別子を取得する。
【０１２２】
（ステップＳ５０９）算出部１１１３は、ステップＳ５０８で取得した物品識別子に対応する譲渡または貸与の金額、および物品の収納期間を示す期間情報を取得する。
【０１２３】
（ステップＳ５１０）算出部１１１３は、格納している演算式の情報を読み出し、金額と期間情報とを当該演算式に代入し、実行する。そして、算出部１１１３は、物品主の収益金額および物品の収納業者の収益金額を算出する。
【０１２４】
（ステップＳ５１１）出力部１１１４は、ステップＳ５１０で算出された２つの収益金額を出力する。上位処理にリターンする。
【０１２５】
なお、図５のフローチャートにおいて、物品主から一の物品情報に対するアクセスを受け付けた場合、図４のステップＳ４０６からＳ４０９の処理を実行しても良い。
【０１２６】
次に、ステップＳ３０７の管理者入力処理について、図６のフローチャートを用いて説明する。
【０１２７】
（ステップＳ６０１）物品情報蓄積部１１０７は、受け付けられた情報が新しい物品情報であるか否かを判断する。新しい物品情報であればステップＳ６０２に行き、新しい物品情報でなければステップＳ６０４に行く。
【０１２８】
（ステップＳ６０２）物品情報蓄積部１１０７は、ユニークな物品識別子を生成する。物品情報蓄積部１１０７は、例えば、物品識別子の最大値を取得し、当該最大値に１をインクリメントした値を、物品識別子として取得する。
【０１２９】
（ステップＳ６０３）物品情報蓄積部１１０７は、受け付けられた物品情報に物品識別子を加えた情報（これも物品情報という）を、物品情報格納部１１０１に蓄積する。上位処理にリターンする。
【０１３０】
（ステップＳ６０４）物品情報蓄積部１１０７は、受け付けられた情報が物品情報の更新情報であるか否かを判断する。物品情報の更新情報であればステップＳ６０５に行き、物品情報の更新情報でなければ上位処理にリターンする。
【０１３１】
（ステップＳ６０５）物品情報蓄積部１１０７は、受け付けられた物品情報の更新情報に含まれる物品識別子を取得する。
【０１３２】
（ステップＳ６０６）物品情報蓄積部１１０７は、ステップＳ６０５で取得した物品識別子と対になる情報であり、物品情報の更新情報に含まれる情報を更新する。上位処理にリターンする。
【０１３３】
なお、図６のフローチャートにおいて、管理者から一の物品情報に対するアクセスを受け付けた場合、図４のステップＳ４０６からＳ４０９の処理を実行しても良い。
【０１３４】
次に、管理者端末装置１２の動作について説明する。第一受付部１２１は、収納業者等から１以上の物品情報や物品情報の更新情報等を受け付ける。第一送信部１２２は、第一受付部１２１が受け付けた１以上の物品情報等をサーバ装置１１に送信する。また、第一受信部１２３は、サーバ装置１１から物品の収納業者の収益金額を受信する。そして、第一出力部１２４は、第一受信部１２３が受信した収益金額を出力する。
【０１３５】
次に、物品主端末装置１３の動作について説明する。第二受付部１３１は、物品主からモードや本気度情報等を受け付ける。そして、第二送信部１３２は、第二受付部１３１が受け付けたモードや本気度情報等をサーバ装置１１に送信する。また、第二受信部１３３は、サーバ装置１１から物品主の収益金額を受信する。そして、第二出力部１３４は、第二受信部１３３が受信した収益金額を出力する。
【０１３６】
次に、一般端末装置１４の動作について説明する。第三受付部１４１は、第三者から情報や指示等を受け付ける。そして、第三送信部１４２は、第三受付部１４１が受け付けた情報等をサーバ装置１１に送信する。また、情報等の送信に対応して、第三受信部１４３は、サーバ装置１１から情報を受信する。そして、第三出力部１４４は、第三受信部１４３が受信した情報を出力する。
【０１３７】
以下、本実施の形態における収納庫物品利用システム１の具体的な動作について説明する。収納庫物品利用システム１の概念図は図１である。
【０１３８】
今、モードは、「譲渡可能」または「貸与可能」または「譲渡も貸与も不可」のいずれかを採り得る、とする。また、モード「譲渡可能」は、ここでは、オークションが可能であり、モード「オークション」とも言うこととする。また、モード「貸与可能」は、モード「レンタル」とも言うこととする。さらに、モード「譲渡も貸与も不可」は、モード「非公開」とも言うこととする。
【０１３９】
また、本気度情報は、「消極的」または「普通」または「積極的」のいずれかである、とする。但し、モード「非公開」の場合、本気度情報は「消極的」のみである、とする。
【０１４０】
また、ここでは、レンタル倉庫を運営する収納業者は、本気度情報が「消極的」である物品に対して、サーバ装置１１に物品の名称はアップロードし、物品の写真等はアップロードしない。また、収納業者は、本気度情報が「普通」である物品に対して、物品の名称等に加えて、物品の写真を一枚アップロードする。さらに、収納業者は、本気度情報が「積極的」である物品に対して、物品の名称等に加えて、多方向から撮影した物品の複数の写真をアップロードする、とする。
【０１４１】
また、サーバ装置１１の画面情報格納部１１０３には、本気度情報「消極的」と対になる物品情報の物品に対して、物品主用および第三者用の画面情報が格納されている。ここで、第三者用の画面情報は、第三者が好意的であることを入力するための入力部品（ここでは、「いいね」ボタンということとする）による投票が可能な画面を構成する情報である。また、画面情報格納部１１０３には、モード「オークション」または「レンタル」であり、本気度情報「普通」と対になる物品情報の物品に対して、物品主用および第三者用の画面情報が格納されている。第三者用の画面情報は、「希望金額」「ひと言」の入力が可能な画面を構成する情報である。なお、「希望金額」は、モード「レンタル」の場合は「レンタル希望金額」であり、モード「オークション」の場合は「購入希望金額」である。また、「ひと言」とは、第三者（買い手または借り手）の物品に対する感想等である。具体的には、画面情報格納部１１０３は、図７、図８、図９に示す画面情報管理表を保持している、とする。ここで、画面情報管理表は、「本気度」「モード」「物品主」「第三者」の属性値を有するレコードを多数管理している。「物品主」は、物品主用に画面情報である。「第三者」は、第三者用に画面情報である。図７〜９において、画面情報は、画面イメージであるが、通常、ＨＴＭＬ等のスクリプトである。また、画面情報において、本気度情報が「消極的」である場合は「かなり控えめ」と表示され、「普通」である場合は「少しガンバル」と表示され、「積極的」である場合は「やる気マンマン」と表示される、とする。
【０１４２】
また、物品情報格納部１１０１は、図１０に示す物品情報管理表を保持している。物品情報管理表は、「ＩＤ」「物品の名称」「モード」「本気度」「好意数」「主情報」「写真」等を有するレコードを１以上、保持している。「主情報」は、「主識別子」「通知先」を有する。「ＩＤ」は、物品識別子であり、ここでは、物品情報が入力されるごとに、インクリメントされた物品識別子が生成され、蓄積される。「主識別子」は、ここではＩＤであるが、物品主の氏名等でも良い。「通知先」は、ここでは、物品主のメールアドレスであるが、通信するための情報であれば何でも良い。また、「写真」は、物品の写真である。なお、物品情報管理表の物品情報は、収納業者がレンタル倉庫で預かった物品の情報を入力した情報である。さらに、図示しないが、物品情報管理表のレコードは、「コメント」、「使用希望条件」、「レンタル料金（１日あたり）」、「回答期限」、「売買希望条件（最低金額）」「ひと言」「お伝えメモ」「条件」等を有する。「コメント」は、物品主が入力する物品に対するコメントである。「使用希望条件」は、レンタルする場合の物品主のレンタル希望の期間である。「レンタル料金（１日あたり）」は、レンタルする場合の物品主のレンタル希望料金（１日あたり）である。「回答期限」は、レンタルまたは譲渡の申し出を受け付ける期限である。「売買希望条件（最低金額）」は、物品を譲渡する場合の物品主の希望の最低金額である。「ひと言」は、第三者の物品に対する感想である。「お伝えメモ」は、物品主がレンタルまたは譲渡を受ける第三者に対して伝えたい内容です。「条件」は、物品をレンタルや譲渡する場合の物品主側から出される条件（料金、保険料等）である。
【０１４３】
また、希望情報格納部１１０２は、図１１に示す希望情報管理表を保持している。希望情報管理表は、「ＩＤ」「物品識別子」「売買等希望金額」「レンタル希望期間」「ユーザ識別子」「ユーザ連絡先情報」「第三者希望金額」等の属性値を有するレコードを複数管理している。「売買等希望金額」は、物品主がレンタルや譲渡する際の希望金額である。「第三者希望金額」は、第三者がレンタルや譲渡してもらう際の希望金額である。
【０１４４】
さらに、判断部１１１１は、条件１「好意数＞＝５０」を保持している、とする。また、判断部１１１１は、条件２「第三者希望金額＞＝売買等希望金額」を保持している、とする。なお、条件１は、好意数に関連する推奨条件である。条件２は、希望金額に関連する推奨条件である。
【０１４５】
かかる状況において、以下の３つの具体例について説明する。
【０１４６】
（具体例１）
まず、ユーザ識別子「Ｗ０１２」で識別される物品主が、物品「ひな人形」を、レンタル倉庫の収納業者まで持ってきて、「ひな人形」を預けた、とする。また、物品主は、モード「レンタル」、本気度「普通」を選択した、とする。
【０１４７】
次に、収納業者の担当者は、物品「ひな人形」の写真を撮って、当該写真と、物品の名称「ひな人形」、モード「レンタル」、本気度「普通」、好意数「０」、主識別子「Ｗ０１２」、通知先「ｗ１２＠ｃｃ．ｊｐ」等を、管理者端末装置１２に入力する。
【０１４８】
次に、管理者端末装置１２の第一受付部１２１は、かかる物品情報を受け付け、第一送信部１２２は、当該物品情報をサーバ装置１１に送信する。
【０１４９】
次に、サーバ装置１１の受付部１１０４は、新しい物品情報を受信する。そして、物品情報蓄積部１１０７は、ユニークな物品識別子「２３９」を生成する。次に、物品情報蓄積部１１０７は、受信された物品情報に物品識別子「２３９」を加えた情報を、図１０の物品情報管理表に蓄積し、図１２の物品情報管理表を得る。なお、図１２の物品情報管理表の物品識別子「２３９」のレコードの好意数はデフォルトの「０」である。また、図１２において、「ＩＤ」が物品識別子である。
【０１５０】
次に、ユーザ識別子「Ｗ０１２」で識別される物品主は、自分の物品主端末装置１３からサーバ装置１１にアクセスする。アクセスは、収納業者に預けた物品「ひな人形」のレンタルの条件を入力するためのアクセスである。なお、このアクセスは、物品「ひな人形」の物品識別子「２３９」を含む。また、アクセスは、物品主であることを示す情報を含む。物品主であることを示す情報は、ユーザのカテゴリーを示す情報である。ユーザのカテゴリーを示す情報は、物品主であることを示す情報、第三者であることを示す情報、収納業者の担当者であることを示す情報などのうちのいずれでも良い。
【０１５１】
そして、物品主端末装置１３の第二受付部１３１は、物品識別子「２３９」を含む画面情報へのアクセス指示を受け付ける。次に、第二送信部１３２は、当該アクセス指示をサーバ装置１１に送信する。
【０１５２】
次に、サーバ装置１１の受付部１１０４は、物品識別子「２３９」を含むアクセス指示を受信する。そして、画面情報取得部１１０５は、アクセス指示から物品識別子「２３９」、および物品主であることを示す情報を取得する。次に、画面情報取得部１１０５は、物品識別子「２３９」と対になるモード「レンタル」、本気度「普通」を、図１２の物品情報管理表から取得する。次に、画面情報取得部１１０５は、ユーザのカテゴリー「物品主」、モード「レンタル」、および本気度「普通」に対応する画面情報を画面情報管理表（図８参照）から読み出す。次に、画面情報取得部１１０５は、物品識別子「２３９」に対応する情報であり、読み出した画面情報に埋め込まれるべき１以上の属性値を取得し、当該取得した１以上の属性値を読み出した画面情報に埋め込み、送信する画面情報を構成する。
【０１５３】
次に、画面情報送信部１１０６は、当該画面情報をアクセスした物品主端末装置１３に送信する。
【０１５４】
次に、物品主端末装置１３の第二受信部１３３は、サーバ装置１１から画面情報を受信する。
【０１５５】
次に、第二出力部１３４は、受信された画面情報を出力する。そして、ユーザ識別子「Ｗ０１２」で識別される物品主は、物品主端末装置１３の出力された画面の各フィールドに、図１３に示すように情報を入力する。そして、第二受付部１３１は、各種の情報を受け付ける。
【０１５６】
次に、第二送信部１３２は、物品識別子「２３９」、使用希望条件「２０１２／２／２０〜２０１２／３／５」、レンタル料金（１日あたり）「５００円」、回答期限「２０１１／１２／２０」を有する送信情報を構成する。なお、図１３において、グレーアウトされているフィールドの情報は、受信された画面情報に元々含まれていた情報である。そして、第二送信部１３２は、構成した送信情報をサーバ装置１１に送信する。
【０１５７】
次に、サーバ装置１１の受付部１１０４は、物品識別子「２３９」、使用希望条件「２０１２／２／２０〜２０１２／３／５」、レンタル料金（１日あたり）「５００円」、回答期限「２０１１／１２／２０」を有する送信情報を受信する。
【０１５８】
次に、図示しない更新部は、物品識別子「２３９」を含むレコードに、物品情報の使用希望条件「２０１２／２／２０〜２０１２／３／５」、レンタル料金（１日あたり）「５００円」、回答期限「２０１１／１２／２０」を書き込む。つまり、図１２における物品識別子「２３９」を含む物品情報は、物品の名称「ひな人形」、モード「レンタル」、本気度「普通」、好意数「０」、主識別子「Ｗ０１２」、通知先「ｗ１２＠ｃｃ．ｊｐ」、ひな人形の写真、使用希望条件「２０１２／２／２０〜２０１２／３／５」、レンタル料金（１日あたり）「５００円」、回答期限「２０１１／１２／２０」等の属性値を有することとなった。
【０１５９】
次に、ユーザ識別子「Ｕ０５３」で識別される第三者は、物品リストの要求を一般端末装置１４に入力する。次に、一般端末装置１４を構成する第三受付部１４１は、当該第三者から物品リストの要求を受け付ける。次に、第三送信部１４２は、第三受付部１４１が受け付けた物品リストの要求をサーバ装置１１に送信する。
【０１６０】
次に、サーバ装置１１の受付部１１０４は、物品リストの要求を受け付ける。そして、画面情報取得部１１０５は、物品情報格納部１１０１から１以上の物品情報を読み出す。次に、画面情報取得部１１０５は、画面情報格納部１１０３から、物品リストに対応する画面情報を読み出し、読み出した１以上の物品情報を、当該画面情報に付加し、物品リストの画面情報を構成する。次に、画面情報送信部１１０６は、構成された物品リストの画面情報を、アクセスした一般端末装置１４に送信する。
【０１６１】
次に、一般端末装置１４の第三受信部１４３は、物品リストの画面情報を受信する。そして、第三出力部１４４は、物品リストの画面情報を出力する。
【０１６２】
かかる状況において、ユーザ識別子「Ｕ０５３」で識別される第三者は、物品識別子「２３９」で識別される物品「ひな人形」の物品情報に対するアクセスを入力する。次に、第三受付部１４１は、物品識別子「２３９」を有する物品情報に対するアクセスを受け付ける。そして、第三送信部１４２は、サーバ装置１１にアクセスする。
【０１６３】
次に、サーバ装置１１の受付部１１０４は、物品識別子「２３９」を有する物品情報に対するアクセスを受信する。次に、画面情報取得部１１０５は、アクセスに含まれる物品識別子「２３９」を取得する。また、画面情報取得部１１０５は、取得した物品識別子「２３９」と対になるモード「レンタル」と本気度情報「普通」を、物品情報管理表（図１２）から取得する。次に、画面情報取得部１１０５は、取得したモード「レンタル」と本気度情報「普通」に対応する第三者用の画面情報（図８）を画面情報格納部１１０３から読み出す。そして、画面情報取得部１１０５は、当該画面情報に、物品識別子「２３９」に対応する物品情報を付加し、送信する画面情報を構成する。
【０１６４】
次に、画面情報送信部１１０６は、構成された画面情報を、ユーザ識別子「Ｕ０５３」で識別される第三者の一般端末装置１４に送信する。
【０１６５】
次に、一般端末装置１４の第三受信部１４３は、画面情報を受信する。そして、第三出力部１４４は、画面情報を出力する。そして、ユーザ識別子「Ｕ０５３」で識別される第三者は、図１４に示すように、画面上の「ひと言」のフィールドに、物品「ひな人形」に対する思いを入力する。そして、第三者の指示により、入力した情報「一目ぼれしました。大切に扱いますので、孫のためにお借りしたいです。」が、一般端末装置１４からサーバ装置１１に送信される。
【０１６６】
次に、サーバ装置１１は、一般端末装置１４から情報「一目ぼれしました。大切に扱いますので、孫のためにお借りしたいです。」を受信し、物品識別子「２３９」と対応付けて蓄積する。
【０１６７】
以上、本具体例によれば、物品情報が有する本気度情報やモードにより、サーバ装置１１から送信される画面情報が異なることにより、本気度情報やモードに応じた適切な情報の入力が可能となる。その結果、レンタル倉庫等に収納された物品を効果的に利用できる環境を提供できる。
【０１６８】
（具体例２）
具体例２において、ユーザ識別子「Ｗ０１２」で識別される物品主が、物品「ひな人形」を、レンタル倉庫の収納業者まで持ってきて、「ひな人形」を預けた、とする。また、物品主は、モード「非公開」、本気度「消極的」を選択した、とする。
【０１６９】
そして、図１０の物品情報管理表の状態の時に、収納業者の担当者は、物品の名称「ひな人形」、モード「非公開」、本気度「消極的」、好意数「０」、主識別子「Ｗ０１２」、通知先「ｗ１２＠ｃｃ．ｊｐ」等を、管理者端末装置１２に入力する。すると、具体例１で説明した動作と同様の動作により、新しい物品情報が物品情報管理表に蓄積される。そして、物品情報管理は、図１５のようになる。
【０１７０】
次に、ユーザ識別子「Ｗ０１２」の物品主は、自分の物品主端末装置１３に、物品情報のアクセス指示をした、とする。なお、このアクセス指示は、物品識別子「２３９」、物品主であることを示す情報（ユーザ識別子「Ｗ０１２」でも良い）を含む。
【０１７１】
次に、物品主端末装置１３の第二受付部１３１は、物品識別子「２３９」を有するアクセス指示を受け付ける。次に、第二送信部１３２は、当該アクセス指示をサーバ装置１１に送信する。
【０１７２】
次に、サーバ装置１１の受付部１１０４は、当該アクセス指示を受信する。そして、画面情報取得部１１０５は、アクセスに含まれる物品識別子「２３９」を取得する。
【０１７３】
次に、画面情報取得部１１０５は、取得した物品識別子「２３９」と対になるモード「非公開」と本気度情報「消極的」とを物品情報管理表（図１５）から取得する。次に、画面情報取得部１１０５は、ユーザのカテゴリー「物品主」、モード「非公開」および本気度情報「消極的」に対応する画面情報を画面情報管理表（図７参照）から読み出す。
【０１７４】
次に、画面情報送信部１１０６は、当該画面情報をアクセスした物品主端末装置１３に送信する。
【０１７５】
次に、物品主端末装置１３の第二受信部１３３は、サーバ装置１１から画面情報を受信する。
【０１７６】
次に、第二出力部１３４は、受信された画面情報を出力する。そして、ユーザ識別子「Ｗ０１２」で識別される物品主は、物品主端末装置１３の出力された画面のフィールド「コメント」に、図１６に示すように情報「母より譲り受けた大切な雛人形です。」を入力する。そして、第二受付部１３１は、各種の情報を受け付ける。なお、図１６の画面において、物品主は、「レンタルへ」ボタンまたは「オークションへ」ボタンを押下することにより、モードを「非公開」から「レンタル」または「オークション」に変更できる。
【０１７７】
次に、第三者が物品識別子「２３９」を有する物品情報へのアクセス指示を行った、とする。なお、アクセス指示は、アクセス者が第三者である旨の情報も含む。
【０１７８】
そして、第三者の一般端末装置１４の第三受付部１４１は、アクセス指示を受け付ける。次に、第三送信部１４２は、アクセス指示をサーバ装置１１に送信する。
【０１７９】
そして、サーバ装置１１の受付部１１０４は、当該アクセス指示を受信する。そして、画面情報取得部１１０５は、アクセスに含まれる物品識別子「２３９」を取得する。
【０１８０】
次に、画面情報取得部１１０５は、取得した物品識別子「２３９」と対になるモード「非公開」と本気度情報「消極的」とを物品情報管理表（図１５）から取得する。次に、画面情報取得部１１０５は、ユーザのカテゴリー「第三者」、モード「非公開」および本気度情報「消極的」に対応する画面情報を画面情報管理表（図７参照）から読み出す。
【０１８１】
次に、画面情報送信部１１０６は、当該画面情報をアクセスした物品主端末装置１３に送信する。
【０１８２】
次に、物品主端末装置１３の第二受信部１３３は、サーバ装置１１から画面情報を受信する。
【０１８３】
次に、第二出力部１３４は、受信された画面情報を、図１７に示すように出力する。そして、第三者は、図１７の画面の「いいね」ボタンを押下した、とする。すると、第三受付部１４１は、物品識別子「２３９」を含む好意情報を受け付ける。そして、第三送信部１４２は、当該好意情報をサーバ装置１１に送信する。
【０１８４】
次に、サーバ装置１１の受付部１１０４は、物品識別子「２３９」を含む好意情報を受信する。そして、好意数更新部１１０８は、物品識別子「２３９」に対応する属性値「好意数」を１インクリメントする。
【０１８５】
以上の処理を、多数の第三者が行い、物品識別子「２３９」と対になる好意数が「５０」になった、とする。すると、判断部１１１１は、好意数に関連する推奨条件「好意数＞＝５０」を取得する。そして、判断部１１１１は、物品識別子「２３９」に対応する好意数「５０」が、推奨条件「好意数＞＝５０」に合致する、と判断する。
【０１８６】
次に、推奨情報送信部１１１２は、本気度を上げるべき旨の情報（例えば、現在の「消極的」から「普通」に上げるべき旨の情報）を、当該物品識別子に対応する物品主の物品主端末装置１３に送信する。
【０１８７】
次に、物品主端末装置１３の第二受信部１３３は、本気度を上げるべき旨の情報を受信し、第二出力部１３４は、当該情報を出力する。
【０１８８】
そして、物品識別子「２３９」の物品の物品主は、図１６の画面の本気度を「かなり控えめ」から「少しガンバル」に変更するべく、「少しガンバル」をマウス等で指示する。そして、サーバ装置１１に送信する。なお、送信する情報は、物品情報の変更指示であり、物品識別子「２３９」と本気度情報「普通」を含む。
【０１８９】
次に、サーバ装置１１の受付部１１０４は、物品情報の変更指示を受信する。そして、物品情報蓄積部１１０７は、変更指示に含まれる物品識別子「２３９」を取得する。そして、物品情報蓄積部１１０７は、物品情報管理表内の物品識別子「２３９」に対応する本気度情報を、変更指示に含まれる本気度情報「普通」に変更する。
【０１９０】
以上、本具体例によれば、物品情報が有する本気度情報やモードにより、サーバ装置１１から送信される画面情報が異なることにより、本気度情報やモードに応じた適切な情報の入力が可能となる。その結果、レンタル倉庫等に収納された物品を効果的に利用できる環境を提供できる。また、好意数が予め決められた条件を満たすほど大きい場合、物品主に、本気度を上げるべき旨の情報が送信される。そのため、収納倉庫に存在する物品のレンタルや譲渡が活性化できる。
【０１９１】
（具体例３）
具体例３において、算出部１１１３は、収益金額の演算式「物品主の収益金額＝譲渡または貸与の金額×０．８−期間情報が示す月数×１０００円」および「収納業者の収益金額＝譲渡または貸与の金額×０．２＋期間情報が示す月数×１０００円」を保持している、とする。
【０１９２】
具体例３において、ユーザ識別子「Ｗ０１２」で識別される物品主が、物品「ひな人形」を、レンタル倉庫の収納業者まで持ってきて、「ひな人形」を預けた、とする。また、物品主は、モード「オークション」、本気度「普通」を選択した、とする。また、物品主は、売買希望価格を「１００，０００円」と決定した、とする。
【０１９３】
そして、図１１に示す希望情報管理表の「ＩＤ＝８９」のレコードが追記された、とする。
【０１９４】
次に、ユーザ識別子「Ｇ００２」で識別される第三者は、一般端末装置１４に、物品識別子「２３９」の物品情報へのアクセス指示を入力し、一般端末装置１４には、当該物品情報を有する画面が表示された、とする。なお、一般端末装置１４における画面の表示処理は、上記で説明済みであるので、説明は省略する。
【０１９５】
次に、第三者は、購入希望金額「１１０，０００円」およびひと言「一目ぼれしました。大切に扱いますので、孫のために譲受けしてほしいです。」を入力する（図１８参照）。
【０１９６】
そして、第三者は送信の指示を入力すると、物品識別子「２３９」、購入希望金額「１１０，０００円」、およびユーザ識別子「Ｇ００２」等を有する希望情報は、サーバ装置１１に送信される。
【０１９７】
次に、サーバ装置１１の受付部１１０４は、希望情報を受信する。そして、希望情報蓄積部１１０９は、希望情報に含まれる物品識別子「２３９」を取得する。次に、希望情報蓄積部１１０９は、物品識別子「２３９」と対になる金額情報「１１０，０００円」等を蓄積する。つまり、図１１の希望情報管理表の「ＩＤ＝８９」のレコードが有する属性値「第三者希望金額」に「１１０，０００円」、ユーザ識別子「Ｇ００２」等を追記する。なお、図１１のレコードにおいて、属性「ユーザ識別子」は図示していない。
【０１９８】
次に、判断部１１１１は、希望金額に関連する推奨条件「第三者希望金額＞＝売買等希望金額」を取得する。次に、判断部１１１１は、物品識別子「２３９」の売買等希望金額「１００，０００円」を図１１の希望情報管理表から読み出す。そして、判断部１１１１は、物品識別子「２３９」に対応する最大の希望金額「１１０，０００円」が、推奨条件「第三者希望金額＞＝売買等希望金額」に合致する、と判断する。
【０１９９】
次に、推奨情報送信部１１１２は、本気度を上げるべき旨の情報を、当該物品識別子に対応する物品主「Ｗ０１２」の物品主端末装置１３に送信する。なお、送信には、通常、ユーザ連絡先情報「ｗ１２＠ｃｃ．ｊｐ」が使用される。
【０２００】
また、物品主「Ｗ０１２」は、物品主端末装置１３に、交渉相手情報を入力する。交渉相手情報は、物品識別子「２３９」、およびユーザ識別子「Ｇ００２」を有する。そして、物品主端末装置１３は交渉情報をサーバ装置１１に送信する。
【０２０１】
次に、サーバ装置１１の受付部１１０４は、当該交渉情報を受信する。そして、交渉中情報蓄積部１１１０は、交渉相手情報に含まれる物品識別子「２３９」を取得する。そして、交渉中情報蓄積部１１１０は、物品識別子「２３９」に対応付けて、交渉中情報を物品情報管理表に蓄積する。これにより、物品識別子「２３９」の譲渡が交渉中であることが第三者に知らせることができる。
【０２０２】
次に、交渉が完了し、物品主は、物品主端末装置１３に契約の成立を示す契約成立情報を入力する。契約成立情報は、物品識別子「２３９」、ユーザ識別子「Ｇ００２」、譲渡金額等を有する。そして、物品主の指示により、物品主端末装置１３の第二送信部１３２は、契約成立情報をサーバ装置１１に送信する。
【０２０３】
次に、サーバ装置１１の受付部１１０４は、当該契約成立情報を受信する。そして、算出部１１１３は、契約成立情報が有する物品識別子「２３９」を取得する。次に、算出部１１１３は、物品識別子「２３９」に対応する譲渡金額「１１０，０００円」、および物品の収納期間を示す期間情報「６ヶ月」を取得する。なお、期間情報は、図示しないが、物品情報管理表に格納されている、とする。そして、算出部１１１３は、保持している２つの演算式「物品主の収益金額＝譲渡または貸与の金額×０．８−期間情報が示す月数×１０００円」および「収納業者の収益金額＝譲渡または貸与の金額×０．２＋期間情報が示す月数×１０００円」を読み出す。そして、譲渡金額「１１０，０００円」、期間情報「６ヶ月」を演算式に代入し、「物品主の収益金額＝８２，００００円」および「収納業者の収益金額＝２８，０００円」を算出する。そして、出力部１１１４は、算出された２つの収益金額を出力する。
【０２０４】
以上、本具体例によれば、納入またはレンタルの希望金額が予め決められた条件を満たすほど大きい場合、物品主に、本気度を上げるべき旨の情報が送信される。そのため、収納倉庫に存在する物品のレンタルや譲渡が活性化できる。また、本具体例によれば、物品主と収納業者の適正な収益を算出できる。
【０２０５】
以上、本実施の形態によれば、物品情報が有する本気度情報やモードにより、サーバ装置１１から送信される画面情報が異なることにより、本気度情報やモードに応じた適切な情報の入力が可能となる。その結果、レンタル倉庫等に収納された物品を効果的に利用できる環境を提供できる。そして、持ち主の物品に対する思いに応じた、物品の適切な利用が可能になる。
【０２０６】
また、本実施の形態によれば、レンタル倉庫等に収納された物品に対する第三者の評価を知ることができ、物品の適切な利用が可能になり得る。
【０２０７】
また、本実施の形態によれば、物品の持ち主ではなく、レンタル倉庫等の運営業者が物品情報を登録することにより、適切な情報を第三者に提示でき、安全な取引が可能になる。
【０２０８】
また、物品が第三者に譲渡または貸与された場合、物品の持ち主とレンタル倉庫等の運営業者とが適切に収益を分配できる。
【０２０９】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるサーバ装置１１を実現するソフトウェアは、以下のようなプログラムである。つまり、このプログラムは、例えば、記録媒体に、物品を識別する物品識別子と、当該物品の画像と、当該物品が「譲渡可能」または「貸与可能」または「譲渡も貸与も不可」のうちの少なくとも２以上のうちのいずれかであるかを示す情報であるモードと、当該物品の持ち主を識別する主識別子とを有する１以上の物品情報と、前記２以上の各モードに対応する２以上の画面を示す２以上の画面情報とを格納しており、コンピュータを、第三者の端末装置から１以上の物品情報に対するアクセスを受け付ける受付部と、前記受付部がアクセスを受け付けた場合、前記１以上の各物品情報が有するモードに応じて、１以上の異なる画面情報を前記画面情報格納部から取得する画面情報取得部と、前記１以上の画面情報を前記第三者の端末装置に送信する画面情報送信部として機能させるためのプログラム、である。
【０２１０】
また、図１９は、本明細書で述べたプログラムを実行して、上述した実施の形態のサーバ装置１１等を実現するコンピュータの外観を示す。上述の実施の形態は、コンピュータハードウェア及びその上で実行されるコンピュータプログラムで実現され得る。図１９は、このコンピュータシステム３００の概観図であり、図２０は、コンピュータシステム３００のブロック図である。
【０２１１】
図１９において、コンピュータシステム３００は、ＦＤドライブ、ＣＤ−ＲＯＭドライブを含むコンピュータ３０１と、キーボード３０２と、マウス３０３と、モニタ３０４とを含む。
【０２１２】
図２０において、コンピュータ３０１は、ＦＤドライブ３０１１、ＣＤ−ＲＯＭドライブ３０１２に加えて、ＭＰＵ３０１３と、ＣＤ−ＲＯＭドライブ３０１２及びＦＤドライブ３０１１に接続されたバス３０１４と、ブートアッププログラム等のプログラムを記憶するためのＲＯＭ３０１５とに接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０２１３】
コンピュータシステム３００に、上述した実施の形態のサーバ装置１１等の機能を実行させるプログラムは、ＣＤ−ＲＯＭ３１０１、またはＦＤ３１０２に記憶されて、ＣＤ−ＲＯＭドライブ３０１２またはＦＤドライブ３０１１に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１、ＦＤ３１０２またはネットワークから直接、ロードされても良い。
【０２１４】
プログラムは、コンピュータ３０１に、上述した実施の形態のサーバ装置１１等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０２１５】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０２１６】
また、上記プログラムを実行するコンピュータは、単数であってもよく、複数であってもよい。すなわち、集中処理を行ってもよく、あるいは分散処理を行ってもよい。
【０２１７】
また、上記各実施の形態において、一の装置に存在する２以上の通信手段は、物理的に一の媒体で実現されても良いことは言うまでもない。
【０２１８】
また、上記各実施の形態において、各処理（各機能）は、単一の装置（システム）によって集中処理されることによって実現されてもよく、あるいは、複数の装置によって分散処理されることによって実現されてもよい。
【０２１９】
本発明は、以上の実施の形態に限定されることなく、種々の変更が可能であり、それらも本発明の範囲内に包含されるものであることは言うまでもない。
【産業上の利用可能性】
【０２２０】
以上のように、本発明にかかる収納庫物品利用システムは、レンタル倉庫等に収納された物品を効果的に利用できる、という効果を有し、収納庫物品利用システム等として有用である。
【符号の説明】
【０２２１】
１  収納庫物品利用システム
１１  サーバ装置
１２  管理者端末装置
１３  物品主端末装置
１４  一般端末装置
１２１  第一受付部
１２２  第一送信部
１２３  第一受信部
１２４  第一出力部
１３１  第二受付部
１３２  第二送信部
１３３  第二受信部
１３４  第二出力部
１４１  第三受付部
１４２  第三送信部
１４３  第三受信部
１４４  第三出力部
１１０１  物品情報格納部
１１０２  希望情報格納部
１１０３  画面情報格納部
１１０４  受付部
１１０５  画面情報取得部
１１０６  画面情報送信部
１１０７  物品情報蓄積部
１１０８  好意数更新部
１１０９  希望情報蓄積部
１１１０  交渉中情報蓄積部
１１１１  判断部
１１１２  推奨情報送信部
１１１３  算出部
１１１４  出力部
【図１】
0005756390.tif 000002
【図２】
0005756390.tif 000003
【図３】
0005756390.tif 000004
【図４】
0005756390.tif 000005
【図５】
0005756390.tif 000006
【図６】
0005756390.tif 000007
【図７】
0005756390.tif 000008
【図８】
0005756390.tif 000009
【図９】
0005756390.tif 000010
【図１１】
0005756390.tif 000011
【図１６】
0005756390.tif 000012
【図１７】
0005756390.tif 000013
【図１９】
0005756390.tif 000014
【図２０】
0005756390.tif 000015
【図１０】
0005756390.tif 000016
【図１２】
0005756390.tif 000017
【図１３】
0005756390.tif 000018
【図１４】
0005756390.tif 000019
【図１５】
0005756390.tif 000020
【図１８】
0005756390.tif 000021